(57)【要約】      （修正有）【課題】構造が単純で組立が至便である良好な性能を有する縁無しタイプの眼鏡を提供すること。【解決手段】各側ブランチ１１は蝶番３０に取付けられ、蝶番３０は、各側ブランチ１１の断面および外形が展開位置において概ね連続するように構成され、それにより側ブランチ１１のレンズＶ内の貫通孔２０への通過を可能にし、展開位置において側ブランチ１１をレンズＶの前面からレンズへ単に挿通することにより所定位置へ設置できるようにする。【選択図】図１
2009110000.tif 000002
【特許請求の範囲】
【請求項１】
二つのレンズ（Ｖ）を相互に連結するブリッジ（１３）、および対応するレンズ（Ｖ）の側領域にそれぞれ連結されたワイヤ構造の二つの側ブランチ（１１）を含み、
各側ブランチ（１１）は主部（１１．２）および前記主部から伸長しかつレンズ（Ｖ）の側領域に締結されるように構成された先端（１１．４）を含み、
先端（１１．４）は概ね『Ｊ』の字形でありレンズ（Ｖ）内の貫通孔（２０）を通過するホルダ部（１１．５）を含み、先端（１１．４）を所定場所で保持できる可撓性固定ブッシング（１５）が前記先端と前記ホルダ部間に介在し、かつ前記ホルダ部との間でレンズを固定しないで、レンズ内に形成された開放側切欠き（２１）または他の貫通孔（２４）を通過する回転抵抗部（１１．６）を含み、ホルダ部（１１．５）と回転抵抗部（１１．６）とを相互に連結する中央部（１１．７）がレンズ（Ｖ）の前面領域に伸長する、縁無しタイプの眼鏡において、
各側ブランチ（１１）は、側ブランチの展開位置のときに側ブランチの断面および外形が概ね連続してレンズ（Ｖ）内の貫通孔（２０）を通過するように構成された蝶番（３０）に取付けられ、それにより展開位置において側ブランチをレンズの前面からレンズへ単に挿通することにより所定位置へ設置できる、眼鏡。
【請求項２】
各側ブランチ（１１）の蝶番（３０）は前記側ブランチの主部（１１．２）に設けられている、請求項１の眼鏡。
【請求項３】
各側ブランチ（１１）の『Ｊ』の字形先端（１１．４）は、それぞれホルダ部（１１．５）および回転抵抗部（１１．６）を構成する長部および短部を含み、前記長部は、鈍角を形成する永久的曲折部（１１．３）を介して前記側ブランチの主部（１１．２）に連結され、かつ前記蝶番（３０）は前記永久的曲折部（１１．３）に設けられている、請求項１の眼鏡。
【請求項４】
各側ブランチ（１１）の『Ｊ』の字形先端（１１．４）は、前記ホルダ部および前記先端の回転抵抗部をそれぞれ構成する長部（１１・５）および短部（１１．６）を含み、かつ蝶番（３０）は『Ｊ』の字形先端（１１．４）の長部（１１・５）に設けられている、請求項１の眼鏡。
【請求項５】
各側ブランチ（１１）の蝶番（３０）は、蝶番（３０）の断面が蝶番のいずれの側にあるワイヤセグメントに対して上昇することなく二つの対応する端（３０．１，３０．２）を係合することにより形成されている、請求項１から４のいずれか１の眼鏡。
【請求項６】
各側ブランチ（１１）の蝶番（３０）は、蝶番（３０）のいずれの側にあるワイヤセグメントの厚みよりも僅かに大きい厚みを有するセグメントの対応する二端（３０’．１，３０’．２）を係合することにより形成されている、請求項１から４のいずれか１の眼鏡。
【請求項７】
可撓性固定ブッシング（１５）が各側ブランチ（１１）の先端（１１．４）を所定位置に保持し、前記側ブランチ上へ前記ブッシングを予め挿通するときであって、レンズ（Ｖ）の前面からレンズ（Ｖ）へ側ブランチ（１１）を挿通する前の展開位置において、蝶番（３０）を通過できるように、ジェネレータライン（generator line)に沿って分離している、請求項６の眼鏡。
【発明の詳細な説明】
【技術分野】
【０００１】
本発明は、二つの眼鏡レンズを相互に連結するブリッジ、および対応するレンズのそれぞれの側領域に連結される二つの側ブランチまたは『テンプル』を含む縁無しタイプの眼鏡に関する。
【背景技術】
【０００２】
フレームを締結するためにレンズの厚みを介して形成された孔を有する故に、穿孔レンズ眼鏡として知られる所謂縁無し眼鏡は、広範囲に普及している。
【０００３】
参考として次の文献がある。ＷＯ−２００４／００３６３２Ａ、ＥＰ−１１０７０４２Ａ、ＵＳ−６４４７１１７Ａ、ＷＯ−００／２６７１６Ａ、ＥＰ−１３８２９８８Ａ、ＷＯ−０３／０１４８０４Ａ、ＷＯ−０２／０９５４８２Ａ、ＷＯ−０２／０９５４８１Ａ、およびＵＳ５８８０８０７Ａ。
【０００４】
上記文献の殆どにおいて、フレームの各構成要素、即ちブリッジおよび二つの側ブランチ、を締結するために、対応するレンズに開放側切欠きと共に貫通孔が形成されるか、または二つの貫通孔が形成される。
【０００５】
ＵＳ−５８３５１８３Ａは、Ｓ形部を介してレンズの側部に締結される蝶番要素を提供し、各蝶番要素は貫通孔を通過する自由端を有し、その中央部は開放側切欠きを通過する。そのようにしてループを形成する端部は、レンズの中間部を弾性により把持もくしは挟持するように設計され、その把持は、特に貫通孔および開放側切欠き内から対応するレンズの表面を噛む歯によって、摩擦抵抗を増大するような要素により更に強化される。それにも拘らず、レンズの表面を損傷する欠点を有し、そのためにレンズの表面は歯により削られ、それにより、しばしば狭い領域である把持形成ブランチの二部間で把持されるレンズ領域を弱化させる。
【０００６】
文献ＪＰ−２０００／３１８３７２およびＥＰ−０８１４３５９はワイヤフレームを図解し、ブランチは、蝶番を含んでも含まなくてよく、曲折変形に好適であり、フック形先端を有し、終端がレンズの開放側切欠きを通過し、レンズ内の孔を通過する短い把持部を有し、把持部を形成する二部分は、ブランチを所定位置に確実に保持するために、孔と開放側切欠き間のレンズ部分を付勢するクランプを形成する。レンズの把持は、短部をブランチの終端へ向かって傾斜させ、かつ可能であれば切欠き内に介在するブッシングと共に、レンズを貫通する孔の軸の対応する傾斜により、ＪＰ−２００２／３１８３７２Ａの装置において更に強化されて、フランジが把持の解除を阻止するスペーサを形成する。
【０００７】
文献ＷＯ−０２／２１１９３Ａは、上記フレームの変形を示し、フック形先端を有する側ブランチは、挿通後にレンズの背後で湾曲し、かつレンズの背面に隣接してそれぞれの曲折部により所定位置に保持される。かかる方法は、時間の無駄でありかつ手動で実行されなければならない数々の操作を必要とする。
【０００８】
更に、側ブランチが如何なる蝶番も伴うことなく変形可能に曲折する、縁無しタイプの眼鏡が提案されている。その目的のために、所定合金の形状記憶能力の利点を利用する成形法が使用される。蝶番無しかつそのタイプの曲折可能−変形可能ブランチを締結するために、文献ＷＯ−０３／０８３５５３ＡおよびＵＳ−５３６７３４４Ａに例示されたように孔に貫通する複数ペグを係合することが一般的慣習である。
【０００９】
殆どの環境において、側ブランチのファスナ端は多数の曲折を伴う複雑な形態を有し、そのために加工費用が高くなる。更に、矩形かつ未だ曲折されていないブランチの端をレンズ内の孔へ挿通した後に、かかる折曲げをその場で実行する必要がしばしば生じ、そのようなことはオペレータにとって特に不都合である。
【００１０】
昨今は、本出願人による文献ＵＳ−７２６４３４８Ｂ２に教示されているように、蝶番無しのブランチそして曲折可能−変形可能ワイヤ構造を有する縁無しタイプの眼鏡が提案され、各側ブランチは主部、および前記主部から伸長しかつレンズの側領域に締結される先端を含み、前記先端は概ね『Ｊ』の字形に形成されかつレンズ内の貫通孔を通過するホルダ部を含み、先端を所定位置に保持するための可撓性固定ブッシングがホルダ部と先端間に介在し、かつ回転抵抗部が、前記ホルダ部と回転抵抗部間にレンズを挟持することなく、レンズ内の開放側切欠きまたは他の貫通孔を通り、前記ホルダ部と回転抵抗部を相互に連結する中央部がレンズの前面の領域内に延在する。
【００１１】
この文献は、単にレンズの前面からレンズを挿通し、貫通孔を通過することにより、所定位置に設置できる単一ワイヤ構成要素を構成するように、蝶番無しかつ曲折可能−変形可能ワイヤ構造を有する側ブランチを使用することを教示する。この側ブランチは、特に貫通孔において所定位置へ既に設置された可撓性固定ブッシングを通過するときに、挿通を容易にする余分な厚みを持たない。
【発明の開示】
【発明が解決しようとする課題】
【００１２】
本発明は、構造が単純で組立が至便である良好な性能を有する縁無しタイプの眼鏡を提供することを課題とする。
【課題を解決するための手段】
【００１３】
上記課題は次の構成による本発明による縁無しタイプの眼鏡により達成される。
即ち、本発明は、二つのレンズを相互に連結するブリッジ、および対応するレンズの側領域にそれぞれ連結されたワイヤ構造の二つの側ブランチを含み、各前記側ブランチは主部および前記主部から伸長しかつレンズの側領域に締結されるように構成された先端を含み、前記側ブランチの先端は概ね『Ｊ』の字形でありレンズ内の貫通孔を通過するホルダ部を含み、前記先端を所定場所で保持できる可撓性固定ブッシングが前記先端と前記ホルダ部間に介在しかつ前記ホルダ部との間でレンズを固定しないでレンズ内に形成された開放側切欠きまたは他の貫通孔を通過する回転抵抗部を含み、前記ホルダ部と前記回転抵抗部とを相互に連結する中央部がレンズの前面領域に伸長する、縁無しタイプの眼鏡を提供し、かかる眼鏡において、各前記側ブランチは、側ブランチの展開位置のときに側ブランチの断面および外形が概ね連続してレンズ内の貫通孔を通過するように構成された蝶番に取付けられ、それにより側ブランチの展開位置において側ブランチをレンズの前面からレンズへ単に挿通することにより所定位置へ設置できる、ことを特徴とする。
【００１４】
文献ＵＳ７２６４３４８Ｂ２に教示の利点が蝶番付き側ブランチを備えたフレームに応用されている。
【００１５】
好適形態によれば、各前記側ブランチの蝶番は前記側ブランチの主部に設けられている。
【００１６】
好適形態によれば、各前記側ブランチの『Ｊ』の字形先端は、それぞれホルダ部および回転抵抗部を構成する長部および短部を含み、前記長部は、鈍角を形成する永久的曲折部を介して前記側ブランチの主部に連結され、かつ前記蝶番は前記永久的曲折部に設けられている。
【００１７】
好適形態によれば、各前記側ブランチの『Ｊ』の字形先端は、前記ホルダ部および前記先端の回転抵抗部をそれぞれ構成する長部および短部を含み、かつ前記蝶番は『Ｊ』の字形先端の長部に設けられている。
【００１８】
好適形態によれば、各前記側ブランチの蝶番は、前記蝶番の断面が蝶番のいずれの側にあるワイヤセグメントに対して上昇することなく二つの対応する端を係合することにより形成されている。
【００１９】
好適形態によれば、各前記側ブランチの蝶番は、前記蝶番のいずれの側にあるワイヤセグメントの厚みよりも僅かに大きい厚みを有するセグメントの対応する二端を係合することにより形成されている。
【００２０】
好適形態によれば、可撓性固定ブッシングが各前記側ブランチの先端を所定位置に保持し、前記側ブランチ上へ前記ブッシングを予め挿通するときであって、レンズの前面からレンズへ側ブランチを挿通する前の展開位置において、前記蝶番を通過できるように、ジェネレータライン（generator line)に沿って分離している。
【００２１】
本発明の他の特徴および利点は、好適実施形態を示す図面を参照する説明により更に明らかにされる。
【発明を実施するための最良の形態】
【００２２】
図１および２に示されたように、本発明は縁無しタイプの眼鏡に関する。かかる眼鏡は、二つのレンズＶおよびワイヤタイプのフレーム１０を有する。フレーム１０は二つのレンズＶを相互に連結するブリッジ１３、および対応するレンズＶの側領域に連結されたワイヤ構造の二つの側ブランチ、即ち『テンプル』１１を含み、各側ブランチは蝶番３０に取付けられている。
【００２３】
具体的には、側ブランチ１１の基端１１．１はスリーブまたは変形態としてボール等の被覆要素１２を具備する。
【００２４】
各側ブランチ１１は、そのように、ここではスリーブ１２により被覆された基端１１．１、僅かに湾曲しかつ鈍角を形成する永久的曲折部１１．３まで延在する主部１１．２を連続的に有する。対応するレンズＶの側領域に締結されるように構成された曲折部１１．３から先端１１．４が伸長している。
【００２５】
先端１１．４は概ね『Ｊ』の字形に形成され（連続する側ブランチを上方または下方から観察した場合）、長いホルダ部を形成する長部１１．５と短い回転抵抗部を形成する短部１１．６は中央部１１．７により相互に連結されている。
【００２６】
図３の説明図から理解されるように、長いホルダ部１１．５は側ブランチの主部１１．２へ伸長しかつレンズＶ内の貫通孔２０を通過し、貫通孔２０には先端１１．４を所定位置に保持できる可撓性固定ブッシング(clamping bushing)１５が介在し、かつ短い回転抵抗部１１．６は後方へ戻りかつ開放側切欠き２１へ侵入する。または図４の説明図から理解されるように、短い回転抵抗部１１．６は後方へ戻りかつもう一つの孔２４へ侵入する。この場合、長部１１・５と短部１１．６との間でレンズＶを把持もしくは挟持することなく中央部１１．７がレンズＶの前面上方に延在する。
【００２７】
ワイヤ構造等によるブリッジ１３は従来設計であり、湾曲した主部１３．１、ならびに眼鏡の二つのレンズにブリッジを連結するために対応するレンズ内の孔２２および開放側切欠き２３と共働する側にファスナ端１３．４を有する。理解されるように、対応するレンズ領域に締結されたブリッジのファスナ端１３．４は単に弾性により対応するレンズ領域に締結される。ブリッジのファスナ端は、側ブランチを保持するために使用されるブッシング１５に類似の可撓性固定ブッシングの介在を可能にする貫通孔２２を通過するように形成される。更に、鼻パットを担持するように構成されたブリッジ等他の構造のブリッジが採用できる。
【００２８】
具体的には、理解されるように、各側ブランチ１１の『Ｊ』の字形先端１１．４は実質的水平面内に設置される。このことは、折り畳まれたときに側ブランチの妨害となる捩じれの回避を可能にする。
【００２９】
更に、各側ブランチ１１の先端の長部１１・５は、鈍角を形成する永久的曲折部１１．３を介して側ブランチの主部１１．２に連続している。この長部１１・５は、レンズＶの背面からレンズＶの厚みよりも小さくない範囲にわたって直線状に伸長する。この構成は、側ブランチを外すために必要であれば、続く分離を促進する。
【００３０】
この実施形態において、可撓性固定ブッシング１５は、対応するレンズＶの一面に対して取付けられるカラー１５．１を一端に有するもとして示されている。実際には、図１０または図１４を参照して後述するように、各側ブランチ１１は、単に前面からレンズへ挿通(threaded through)することにより取付けられる。可撓性ブッシング１５は、カラー１５．１がレンズの前面に当接するように設置されるのが好適である。そのようにすることにより、側ブランチがレンズに形成された孔を通過するときに可撓性固定ブッシング１５が追い出されないようにする。
【００３１】
更に具体的には、可撓性固定ブッシング１５は、レンズ内の対応する孔内へ挿入される取付け部であってよい。変形態として、可撓性固定ブッシング１５は、関連する側ブランチ１１がシリコーン等のプラスチック材料の型成形または射出成形によりレンズ内の対応する孔へ付設されるときに、その場で形成されるように構成れてよい。
【００３２】
図５から理解されるように、開放側切欠き２１内に受けられる短部１１．６は、従来技術による構成のごとくレンズを挟持する（pinching)ことにより、レンズの対応する部へ固定されるのではない。短部１１．６は、単に回転防止機能を提供する作用をし、側ブランチは、可撓性固定ブッシング内に係止される(locked)長部１１・５により所定位置に保持される。
【００３３】
本発明の重要な特徴によれば、図５から理解されるように、各側ブランチ１１は蝶番３０により取付けられ、蝶番３０は、側ブランチが展開位置（図５ａの位置)のときに側ブランチの断面および外形が概ね連続性を維持するように構成され、レンズＶ内の貫通孔２０への側ブランチの通過を可能にし、それにより側ブランチの展開位置においてレンズの前面から単に側ブランチを挿通することにより側ブランチを所定位置に設置させる。
【００３４】
蝶番３０は、二つのワイヤ端３０．１と３０．２とを相互に連結し、両ワイヤ端は蝶番ピンとして作用する螺子またはリベット３１により共に締結される。特に、一方の端３０．２は面取り先端３０．３を有するブレードの形態であり、他方の端３０．１は、側ブランチの展開位置のための当接部として作用する傾斜底部３０．４を有するフォーク形態である。
【００３５】
図５ａの位置おいて、側ブランチ１１の断面および外形は、蝶番３０上で蝶番３０と同一形態を維持し、側ブランチは蝶番無しで屈曲状態に変形可能である場合でも、それにより側ブランチの、特に関連する貫通孔２０へ設置されている可撓性固定ブッシング１５を装備した、貫通孔２０への精確な挿通が可能である。
【００３６】
図５ｂの位置おいて、側ブランチ１１は折り畳まれ、側ブランチ１１の形状は蝶番３０と相違しかつ蝶番３０から突出する部分を有する。
【００３７】
図４は、短い回転抵抗部１１．６が背後へ戻るときに開放側切欠きを通過しないで、代りにレンズ内の他の貫通孔２４へ侵入する変形態を示す。この変形態の他の構成は上述の形態と同一であり、蝶番３０は、展開位置において、側ブランチ１１の断面および外形の連続性を確実にし、そのようにして図５ａおよび５ｂの説明図が有効に適用され得る。
【００３８】
図６および７は図５ａの図に類似しかつ二つの異なる変形態を示し、ここでは蝶番３０は側ブランチに主部１１．２ではなく、鈍角を形成する永久的曲折部１１．３（図６）、または『Ｊ』の字形先端１１．４の長部１１・５に形成されている（図７）。
【００３９】
再度説明すると、側ブランチ１１の断面および外形の連続性は、側ブランチが展開位置のときに（図６および７参照）維持される。
【００４０】
従って、あらゆる状況において、各側ブランチ１１は主部１１．２、およびレンズＶ内の貫通孔２０を通過できる断面および外形に形成された長部１１・５を有する先端を含み、それにより側ブランチをレンズの前面から単に挿通することにより所定位置への側ブランチの設置を可能にし、かつ蝶番３０の存在にも拘らず蝶番がかかる挿通時に如何なる干渉もしないように構成されることによりそれが可能になる。
【００４１】
図８および９は、側ブランチ１１の形状を明瞭に示し、理解されるように基端１１．１はスリーブ等により被覆されていない。側ブランチ１１は金属ワイヤにより好適に形成され、特に外科用ステンレススチールによるワイヤで形成されるのが好ましく、主部１１．２の領域で垂直方向に選択的局所で扁平にされた円形断面を有し、折り畳まれる方向において側ブランチの可撓性を増すように構成される。
【００４２】
図１０は、レンズＶの前面からレンズＶへ単に挿通することにより側ブランチを手動で設置できる方法を示す。
【００４３】
この図は、レンズおよび側ブランチの種々の対応部の変形態を示す。
【００４４】
位置Ｉにおいて、側ブランチ１１の基端１１．１は、挿通を容易にするために予め可撓性固定ブッシング１５が取付けられている貫通孔２０に対面する。
【００４５】
位置ＩＩ，ＩＩＩ，ＩＶ，Ｖは、継続的挿通位置を示し、その間に、ワイヤブランチの相対的に長い断片を可撓性固定ブッシング１５を装備した貫通孔２０へ徐々に挿入し、同時に蝶番３０を通過させ、レンズを側ブランチのファスナ先端１１．４に到達させる。最終位置ＶＩに到達するための運動の最後段階は、直線方向のみの摺動を含み、それにより短部１１．６をレンズの開放側切欠き２１へ運ぶ。
【００４６】
理解されるように、側ブランチ１１は、如何なる工具の補助も必要とすることなく、迅速かつ容易に取付けることができ、かつ側ブランチの折り畳み位置においてコンパクトである利点を保持する。これは好適に構成された蝶番を有する結果である。
【００４７】
組立てた眼鏡の分解が所望される場合には、組立てるときと反対の手順で手続きを進め、同一レンズを維持しながら側ブランチを変更することが可能であり、その逆も同様に可能である。
【００４８】
上述のように、可撓性固定ブッシング１５は、レンズ内の貫通孔に取付けにより構成されるか、孔へ型成形または射出成形することによりその場で形成されるかと関係なく、所定位置でファスナ先端１１．４を保持でき、例えばポリアミド６またはシリコーン等の可撓性材料の使用が可能であり、これらの材料は透明であり、それにより目立たないようにする。
【００４９】
図１１から１３は、他の形態を示し、側ブランチの展開位置において、側ブランチの断面および外形は、蝶番３０の領域において完全に連続していないが、概ね連続性を維持して、レンズＶ内の貫通孔２０への側ブランチの挿通を可能にする。図１３において、先端１１．４のための局所的扁平領域１１．８の存在が観察でき、この領域は、ホルダブッシング１５内の側ブランチの先端の締結を促進する局所的突起を形成する。
【００５０】
このように、この変形態によれば、各側ブランチ１１における蝶番３０は、蝶番のいずれかの側のワイヤセグメントとの比較で断面の如何なる増加も伴わない二つの対応する端３０．１と３０．２を手動で係合することにより形成されるのではなく、ワイヤセグメントの厚みよりも僅かに厚みのあるセグメントを有する対応する二端３０’．１と３０’．２とを手動で係合することにより形成される。この蝶番は螺子でなくリベット３１により所定位置に保持されるのが好ましい。蝶番３０を構成する過剰厚みを有するセグメントは１．７ｍｍの直径を有し、この直径は１ｍｍの直径を有するワイヤとの比較である。
【００５１】
可撓性固定ブッシング１５が関連する貫通孔２０に設置される場合には可撓性固定ブッシングの僅かに大きい厚みが側ブランチの挿通を阻止し、そのようにして蝶番がレンズを通過する。可撓性固定ブッシング１５は、側ブランチに沿って予め挿通され、かつ側ブランチの中央部１１．７の領域において側ブランチの端に位置決めされ、蝶番３０が貫通孔２０を通過した後に貫通孔２０へ挿入されるように形成される。損傷を与えることなく蝶番３０の通過を可能にするために、可撓性固定ブッシング１５は、図１４に示されたように、ジエネレータライン（generator line）に沿って分離すくことが好ましい。更に、組立てた蝶番が完全に筒状であるためにリベットの頭部をダイスタンプすることが可能である。
【００５２】
図１４は、側ブランチ１１への可撓性固定ブッシング１５の予備挿通工程（ａ−ｄ）を示し、ｄ）は分離ブッシングを示す拡大詳細図であり、工程（ａ−ｄ）の後に、このようにして可撓性固定ブッシング１５が取付けられた側ブランチ１１はレンズＶ内の貫通孔２０へ工程（ｅ−ｈ）により挿通される。
【００５３】
本発明は、上記実施形態に制限されることなく、上述された重要な特徴を再現するために均等手段を使用するいずれの変形態をも包含する。
【図面の簡単な説明】
【００５４】
【図１】本発明によるワイヤブランチが蝶番留めされた縁無しタイプの眼鏡の斜視図である。
【図２】図１の眼鏡の平面図であり、側ブランチのファスナ端は透明により観察できる。
【図３】一実施形態における側ブランチのファスナ領域を明瞭に示す部分拡大斜視図である。
【図４】他の実施形態における側ブランチのファスナ領域を明瞭に示す部分拡大斜視図である。
【図５】図３のＶ−Ｖ断面図であり、ａ）は側ブランチの展開位置における蝶番の形状を示し、ｂ）は側ブランチの折り畳み位置における形状を示す。
【図６】図５ａ）の図に類似の図であり、蝶番が側ブランチ内の一つの位置にある状態を示す。
【図７】図５ａ）の図に類似の図であり、蝶番が側ブランチ内の他の位置にある状態を示す。
【図８】スリーブまたはボール等のいずれの被覆要素をも有しない基端を有する側ブランチの平面図であり、この状態は側ブランチの初期取付けに対応する。
【図９】スリーブまたはボール等のいずれの被覆要素をも有しない基端を有する側ブランチの側面図であり、この状態は側ブランチの初期取付けに対応する。
【図１０】蝶番による妨害を伴うことなく、側ブランチがレンズの前面から挿通されるときの側ブランチと対応するレンズ間の相対的位置を示す線図である。
【図１１】僅かに大きい厚みを有するブッシングが蝶番のところに設けられた一実施形態の斜視図である。
【図１２】僅かに大きい厚みを有するブッシングが蝶番のところに設けられた他の実施形態の平面図である。
【図１３】図１１および１２のフレームの蝶番を示す拡大説明図である。
【図１４】側ブランチを所定位置に設置し、可撓性固定ブッシングを側ブランチ上に初期係合し、可撓性固定ブッシングを取付けた側ブランチをレンズ内の貫通孔へ挿通し通過させるａ）−ｈ）の連続工程を示す線図である。
【符号の説明】
【００５５】
１０    フレーム
１３    ブリッジ
１５    可撓性固定ブッシング
２０    貫通孔
３０    蝶番
【図１】
2009110000.tif 000003
【図２】
2009110000.tif 000004
【図３】
2009110000.tif 000005
【図４】
2009110000.tif 000006
【図５】
2009110000.tif 000007
【図６】
2009110000.tif 000008
【図７】
2009110000.tif 000009
【図８】
2009110000.tif 000010
【図９】
2009110000.tif 000011
【図１０】
2009110000.tif 000012
【図１１】
2009110000.tif 000013
【図１２】
2009110000.tif 000014
【図１３】
2009110000.tif 000015
【図１４】
2009110000.tif 000016